(57)【要約】【課題】断熱効果を維持しつつ、真空パネルの対向壁の変形を抑制する。【解決手段】断熱構造体４０における真空パネル４２の密閉空間４０Ａ内には、リブ構造物５０が設けられており、リブ構造物５０は、真空パネル４２の厚み方向を高さ方向とする複数のハニカムリブ５０Ａを有している。このため、真空パネル４２の一対の対向壁４４が密閉空間４０Ａ側へ変位しようとすると、一対の対向壁４４が、ハニカムリブ５０Ａの高さ方向の両端を押圧して、ハニカムリブ５０Ａを介して互いに押し合うように作用する。これにより、真空パネル４２における一対の対向壁４４の密閉空間４０Ａ側への変位を抑制することができる。しかも、リブ構造物５０は、パルプ材によって構成されている。このため、リブ構造物５０の熱伝導性を比較的低くすることができる。これにより、断熱構造体４０の断熱効果を維持することができる。【選択図】図１
2019086269.tif 000002
【特許請求の範囲】
【請求項１】
減圧又は真空状態に維持された密閉空間を内部に有する中空パネル状を成すと共に、厚み方向に対向する一対の対向壁を有する真空パネルと、
前記密閉空間内に設けられ、前記真空パネルの厚み方向を高さ方向とする複数のリブを含んで構成され、一対の前記対向壁が前記リブに当接することで一対の前記対向壁の前記密閉空間側への変位を抑制する変位抑制構造物と、
を備え、
前記変位抑制構造物がパルプ材によって構成されている断熱構造体。
【請求項２】
前記リブが、前記真空パネルの厚み方向から見て、閉断面構造を成している請求項１に記載の断熱構造体。
【請求項３】
前記リブが、前記真空パネルの厚み方向から見て、断面六角形状に形成されたハニカムリブとして構成されている請求項１又は請求項２に記載の断熱構造体。
【請求項４】
複数の前記リブが前記真空パネルの全体に亘って均一に配置されている請求項１〜請求項３の何れか１項に記載の断熱構造体。
【請求項５】
冷却対象物を収容する収容室を内部に有する冷蔵庫本体と、
前記冷蔵庫本体に設けられ、前記収容室と前記冷蔵庫本体の外部との間を断熱する請求項１〜請求項４の何れか１項に記載の断熱構造体と、
を備えた冷蔵庫。
【発明の詳細な説明】
【技術分野】
【０００１】
本発明は、断熱構造体及びそれを備えた冷蔵庫に関する。
【背景技術】
【０００２】
従来、冷蔵庫に用いられる断熱構造体として、ウレタン等を用いたものがある（例えば、下記特許文献１参照）。この断熱構造体は、上記のように、ウレタンを使用しているため、断熱構造体を製造する上で、比較的大型の設備が必要になるという問題がある。
【０００３】
これに対して、断熱構造体として、真空パネルを用いることで、大型の設備を必要とすることなく、断熱効果の高い断熱構造体を実現することができる。
【先行技術文献】
【特許文献】
【０００４】
【特許文献１】特開２０１１−１６９５０３号公報
【発明の概要】
【発明が解決しようとする課題】
【０００５】
しかしながら、断熱構造体として真空パネルを用いる場合には、以下に示す点が懸念される。すなわち、真空パネルでは、内部が減圧された状態又は真空状態になっているため、真空パネルの内部と外部の間で気圧差が生じる。このため、真空パネルにおける厚み方向に対向する平板（対向壁）が、上記気圧差によって真空パネルの内側へ凹むように変形する虞がある。したがって、真空パネルを用いた断熱構造体では、断熱構造体の断熱効果を維持しつつ、真空パネルの平板（対向壁）の変形を抑制する構成にすることが望ましい。
【０００６】
本発明は、上記事実を考慮して、断熱効果を維持しつつ、真空パネルの対向壁の変形を抑制できる断熱構造体及びそれを備えた冷蔵庫を提供することを目的とする。
【課題を解決するための手段】
【０００７】
形態１：本発明の１又はそれ以上の実施形態は、減圧又は真空状態に維持された密閉空間を内部に有する中空パネル状を成すと共に、厚み方向に対向する一対の対向壁を有する真空パネルと、前記密閉空間内に設けられ、前記真空パネルの厚み方向を高さ方向とする複数のリブを含んで構成され、一対の前記対向壁が前記リブに当接することで一対の前記対向壁の前記密閉空間側への変位を抑制する変位抑制構造物と、を備え、前記変位抑制構造物がパルプ材によって構成されている断熱構造体である。
【０００８】
形態２：本発明の１又はそれ以上の実施形態は、前記リブが、前記真空パネルの厚み方向から見て、閉断面構造を成している断熱構造体である。
【０００９】
形態３：本発明の１又はそれ以上の実施形態は、前記リブが、前記真空パネルの厚み方向から見て、断面六角形状に形成されたハニカムリブとして構成されている断熱構造体である。
【００１０】
形態４：本発明の１又はそれ以上の実施形態は、複数の前記リブが前記真空パネルの全体に亘って均一に配置されて断熱構造体である。
【００１１】
形態５：本発明の１又はそれ以上の実施形態は、冷却対象物を収容する収容室を内部に有する冷蔵庫本体と、前記冷蔵庫本体に設けられ、前記収容室と前記冷蔵庫本体の外部との間を断熱する形態１〜形態４の何れか１つの形態に記載の断熱構造体と、を備えた冷蔵庫である。
【発明の効果】
【００１２】
本発明の１又はそれ以上の実施形態によれば、断熱効果を維持しつつ、真空パネルの対向壁の変形を抑制できる。
【図面の簡単な説明】
【００１３】
【図１】図１（Ａ）は、本実施の形態の断熱構造体の内部を示す断熱構造体の厚み方向から見た模式的な平面図であり、図１（Ｂ）は、図１（Ａ）の断熱構造体の内部を示す一部破断した側面図である。
【図２】図２は、図１に示される断熱構造体が適用された冷蔵庫を示す側断面図である。
【図３】図３（Ａ）は、本実施の形態の断熱構造体と比較例の断熱構造体とを比較した比較実験を説明するための説明図であり、図３（Ｂ）は、図３（Ａ）に示される比較実験によって得られた実験データを示すグラフである。
【図４】図４（Ａ）は、断熱構造体の対向壁に補強リブを設けた例を示す側断面図であり、図４（Ｂ）は、断熱構造体の対向壁に補強ビードを形成した例を示す側断面図である。
【図５】図５は、図１に示されるリブ構造物のリブの形状の変形例を示す図であり、図５（Ａ）は、リブ構造物のリブを断面円形状にした例を示す図であり、図５（Ｂ）は、リブ構造物のリブを断面矩形状にした例を示す図であり、図５（Ｃ）は、リブ構造物のリブを断面三角形状にした例を示す図である。
【発明を実施するための形態】
【００１４】
以下、図面を用いて、本実施の形態に係る断熱構造体４０について説明する。断熱構造体４０は、冷蔵庫１０に適用されて、冷蔵庫１０の内部と外部との間を断熱する構造体として構成されている。このため、以下の説明では、初めに、断熱構造体４０が適用された冷蔵庫１０について説明し、次いで、断熱構造体４０の構成について説明する。なお、図２において示される矢印ＵＰ、矢印ＦＲは、冷蔵庫１０の上側、前側を示している。そして、以下の冷蔵庫１０の説明において、上下、前後の方向を示して説明するときには、特に断りのない限り、冷蔵庫１０の上下方向、前後方向を示すものとする。
【００１５】
（冷蔵庫について）
図２に示されるように、冷蔵庫１０は、冷蔵庫１０の外側部分を構成する冷蔵庫本体１２を備えており、冷蔵庫本体１２は、前側へ開放された略直方体箱状に形成されている。冷蔵庫本体１２の内部は、上下方向に仕切られて、冷却対象物を収容する収容室とされている。具体的には、冷蔵庫本体１２の内部には、上段に冷蔵室１４、中段に野菜室１６、下段に製氷室１８及び冷凍室２０が設けられている。なお、図２では、便宜上、ハッチングを省略して冷蔵庫１０を図示している。
【００１６】
また、冷蔵庫１０の前部には、冷蔵室１４、野菜室１６、製氷室１８、及び冷凍室２０に対応した冷蔵室ドア２２、野菜室ドア２４、製氷室ドア２６、冷凍室ドア２８が設けられており、これらドアによって、冷蔵庫本体１２の開口部が閉塞されている。冷蔵室ドア２２は、例えば、冷蔵庫本体１２の幅方向一方側の端部に、上下方向を軸方向として回転可能に支持されている。野菜室ドア２４、製氷室ドア２６、冷凍室ドア２８は、野菜室１６、製氷室１８、冷凍室２０に収容される収容箱と共に前後方向にスライド可能に構成されて、これら収容箱と共に前方側へ引出可能に構成されている。
【００１７】
また、冷蔵庫１０は、一例として、間接冷却方式の冷蔵庫として構成されている。すなわち、冷蔵庫本体１２の後部には、冷凍サイクルが設けられている。具体的には、冷蔵庫本体１２の後部に、冷却器３０、圧縮機３２、凝縮器（図示省略）、及び膨張器（図示省略）が設けられており、これらが、冷媒菅を介して接続されている。
【００１８】
そして、圧縮機３２が作動すると、冷媒が圧縮機３２によって圧縮されて高温高圧になり、当該冷媒が凝縮器に送られる。凝縮器に送られた冷媒は、放熱され且つ凝縮されて、液化する。凝縮器において液化した冷媒は、膨張器で低温低圧になり、気化されて冷却器３０に送られる。冷却器３０内の冷媒は、冷却器３０内の冷気と熱交換されて、吸熱しながら蒸発して低温のガスとなって圧縮機３２に送られる。そして、この冷却サイクルを繰り返すことで、冷却器３０内において熱交換された冷気が生成される。
生成された冷気は、冷蔵庫本体１２の後部に設けられたファンモータ３４によって駆動するファン３６によって、冷蔵庫本体１２の内部を循環して冷蔵室１４等の各収容室へ送られて、各収容室内が冷却される構成になっている。
【００１９】
（断熱構造体について）
次に本発明の要部である断熱構造体４０について説明する。
図２に示されるように、断熱構造体４０は、冷蔵庫本体１２の上部、下部、後部、左右の側部に設けられて、冷蔵室１４、野菜室１６、製氷室１８、及び冷凍室２０の各々の内部と、冷蔵庫１０の外部と、の間を、断熱するようになっている。また、断熱構造体４０は、冷蔵室ドア２２、野菜室ドア２４、製氷室ドア２６、冷凍室ドア２８の各々の内部に設けられており、冷蔵室１４、野菜室１６、製氷室１８、及び冷凍室２０の各々の内部と、冷蔵庫１０の前側の外部と、の間を断熱構造体４０によって断熱するようになっている。
【００２０】
図１（Ａ）及び（Ｂ）に示されるように、断熱構造体４０は、断熱構造体４０の外郭を構成する真空パネル４２と、真空パネル４２内に収容された「変位抑制構造物」としてのリブ構造物５０と、を含んで構成されている。
【００２１】
真空パネル４２は、中空パネル状に形成されており、その厚み方向から見て、略矩形状に形成されている。具体的には、真空パネル４２は、自身の厚み方向に対向して配置される一対の対向壁４４と、一対の対向壁４４の外周部を接続する一対の第１側壁４６と、一対の対向壁４４及び一対の第１側壁４６を接続する一対の第２側壁４８と、を含んで構成されている。また、真空パネル４２の内部は、密閉空間４０Ａとされており、密閉空間４０Ａ内は真空引きされている。具体的には、密閉空間４０Ａが、１×１０３Ｐａ以下の減圧状態又は真空状態に維持されている。
【００２２】
また、真空パネル４２は、金属の板材（本実施の形態では、鋼板）によって構成されており、真空パネル４２における、対向壁４４、第１側壁４６、及び第２側壁４８のそれぞれの板厚が、０．８ｍｍに設定されている。さらに、真空パネル４２の厚みは、３０ｍｍに設定されている。なお、真空パネル４２の厚み方向から見た真空パネル４２の大きさや形状は、断熱構造体４０が設置される冷蔵庫本体１２の部位に対応して適宜設定されている。また、本実施の形態では、真空パネル４２が鋼板によって構成されているが、真空パネル４２をアルミニウムや銅等の金属の板材で構成してもよい。
【００２３】
リブ構造物５０は、密閉空間４０Ａ内に設けられている（収容されている）。リブ構造物５０は、パルプ材によって構成されると共に、複数の「リブ」としてのハニカムリブ５０Ａを有する構造物になっている。このハニカムリブ５０Ａは、真空パネル４２の厚み方向を高さ方向とした、断面六角形状を成す筒状に形成されている。また、ハニカムリブ５０Ａは、密閉空間４０Ａの全体に亘って、均一に且つ隙間なく配置されている。
【００２４】
リブ構造物５０について、さらに詳しく説明すると、リブ構造物５０は、略長尺板状に形成された複数の紙製の板紙５２を有している。この板紙５２は、真空パネル４２の第１側壁４６の板厚方向を厚み方向として配置されると共に、当該厚み方向に並んで配置されている。また、各板紙５２は、ハニカムリブ５０Ａの半分の壁部を形成するように、略台形を成す山形形状に屈曲形成されており、当該山形形状が、板紙５２の長手方向において互い違いに配置されている。さらに、板紙５２の厚み方向に隣り合う板紙５２が、第１側壁４６の対向方向において、対称を成すように配置されている。また、板紙５２の厚み方向に隣り合う板紙５２では、ハニカムリブ５０Ａの一壁を構成する部位において、互いに貼着され固定されている。これにより、各板紙５２が互いに連結されて、リブ構造物５０において、断面六角形状の閉断面構造を成す複数のハニカムリブ５０Ａが隙間なく形成されている。また、リブ構造物５０が密閉空間４０Ａ内に収容された状態では、板紙５２の長手方向両端が一対の第２側壁４８に隣接して配置されるように、板紙５２の長手方向の長さが設定されている。さらに、真空パネル４２の第１側壁４６に隣接する板紙５２は、屈曲されず、第１側壁４６に貼着されて固定されている。
【００２５】
また、ハニカムリブ５０Ａの高さ寸法Ｈ（すなわち、板紙５２の幅寸法）は、密閉空間４０Ａの厚み寸法Ｔ（すなわち、一対の対向壁４４間の距離）と略一致している。これにより、リブ構造物５０が、密閉空間４０Ａ内に収容された状態では、ハニカムリブ５０Ａの高さ方向の両端が、真空パネル４２の対向壁４４に当接して、ハニカムリブ５０Ａが対向壁４４を密閉空間４０Ａ側から支持する構成になっている。
【００２６】
（作用及び効果）
次に、本実施の形態の作用及び効果について説明する。
上記のように構成された断熱構造体４０は、断熱構造体４０の外郭を構成する真空パネル４２を有しており、真空パネル４２の内部の密閉空間４０Ａが、減圧状態又は真空状態に維持されている。このため、真空パネル４２の内部と外部との間に気圧差が生じて、真空パネル４２が外部の気圧によって密閉空間４０Ａ側へ押圧される。一方、真空パネル４２は中空パネル状に形成されている。このため、真空パネル４２における対向壁４４の曲げ剛性が、第１側壁４６及び第２側壁４８の曲げ剛性に比べて低くなっている。さらに、本実施の形態では、真空パネル４２が、板厚（０．８ｍｍ）の比較的薄い鋼板で構成されている。このため、密閉空間４０Ａ内を１×１０３Ｐａ以下の減圧状態又は真空状態にすると、真空パネル４２の外部の気圧によって、真空パネル４２の一対の対向壁４４が押圧されて密閉空間４０Ａ側へ変位する（凹む）可能性がある。
【００２７】
ここで、真空パネル４２の密閉空間４０Ａ内には、リブ構造物５０が設けられており、リブ構造物５０は、真空パネル４２の厚み方向を高さ方向とする複数のハニカムリブ５０Ａを有している。このため、真空パネル４２の一対の対向壁４４が密閉空間４０Ａ側へ変位しようとすると、一対の対向壁４４が、ハニカムリブ５０Ａの高さ方向の両端を押圧して、ハニカムリブ５０Ａを介して互いに押し合うように作用する。その結果、一対の対向壁４４を密閉空間４０Ａ側へ押圧する力が、リブ構造物５０（のハニカムリブ５０Ａ）によって吸収される。換言すると、リブ構造物５０（のハニカムリブ５０Ａ）が、対向壁４４を真空パネル４２の厚み方向内側から支持する支持部材として作用する。これにより、真空パネル４２における一対の対向壁４４の密閉空間４０Ａ側への変位を抑制することができる。
【００２８】
しかも、リブ構造物５０は、パルプ材によって構成されている。具体的には、リブ構造物５０は、複数の板紙５２によって構成されて、当該板紙５２によってハニカムリブ５０Ａが形成されている。このため、リブ構造物５０の熱伝導性を比較的低くすることができる。すなわち、密閉空間４０Ａ内にリブ構造物５０を設けても、断熱構造体４０の断熱性能に対する影響を低くすることができる。これにより、真空パネル４２における一対の対向壁４４の変形を抑制するために、密閉空間４０Ａ内において、真空パネル４２の対向壁４４をリブ構造物５０（のハニカムリブ５０Ａ）に当接させる構造にしても、断熱構造体４０の断熱性能を確保することができる。
【００２９】
以下、この点について、図３（Ａ）及び（Ｂ）を用いて、比較例の断熱構造体と比較しつつ説明する。図３（Ａ）は、本実施の形態の断熱構造体４０と比較例の断熱構造体とを比較した比較実験を説明するための説明図である。なお、比較例の断熱構造体としては、以下に示す点を除いて、本実施の形態の断熱構造体４０と同様に構成されている。すなわち、比較例の断熱構造体では、真空パネル４２の内部において、本実施の形態のリブ構造物５０の代わりに、ウレタン材が設けられている。換言すると、比較例の断熱構造体は、背景技術に記載した、ウレタンを用いた従来の断熱構造を成している。
【００３０】
図３（Ａ）に示されるように、この比較実験では、冷凍室２０を模した断熱槽Ａの壁部の一部を、本実施の形態の断熱構造体４０若しくは比較例の断熱構造体にした場合の、断熱槽Ａ内の温度変化を測定している。また、断熱槽Ａ内の底部に氷を収容している。さらに、断熱槽Ａ内における温度を測定する位置としては、断熱構造体４０から断熱構造体４０の厚み方向に約１０ｃｍ離間した位置としている（図３（Ａ）に示されるポイントＰを参照）。さらに、断熱槽Ａの外側には、ヒータＨＴが設けられており、断熱構造体４０を８０℃に加熱している。
【００３１】
図３（Ｂ）は、図３（Ａ）に示される実験により得られた実験データを示すグラフである。このグラフの横軸は、ヒータＨＴによる加熱開始からの測定時間（ｓｅｃ）を示しており、グラフの縦軸は、断熱槽Ａ内の測定ポイントＰにおける温度（℃）を示している。
また、図３（Ｂ）では、本実施の形態の断熱構造体４０を断熱槽Ａに適用した場合のデータを実線にて示し、比較例の断熱構造体を断熱槽Ａに適用した場合のデータを２点鎖線にて示している。
【００３２】
そして、図３（Ｂ）のグラフに示されるように、本実施の形態の断熱構造体４０を用いることで、比較例の断熱構造体を用いる場合と比べて、断熱槽Ａ内の温度を約２℃下げることができることが確認された。すなわち、本実施の形態のように、パルプ材によって構成されたリブ構造物５０を密閉空間４０Ａ内に収容して、リブ構造物５０によって対向壁４４の変位を抑制する構成にした場合でも、ウレタンを用いた従来の断熱構造体よりも高い断熱効果を得ることが確認された。
以上により、本実施の形態の断熱構造体４０によれば、断熱効果を維持しつつ、真空パネル４２の変形を抑制することができる。
【００３３】
また、断熱構造体４０では、上述のように、真空パネル４２の内部にパルプ材によって構成されたリブ構造物５０を収容して、対向壁４４の変形を抑制している。これにより、断熱構造体４０の重量ＵＰ及び大型化を抑制しつつ、断熱構造体４０の断熱性能を確保して、真空パネル４２の変形を抑制することができる。
【００３４】
すなわち、図４（Ａ）に示されるように、断熱構造体４０の重量ＵＰを抑制し、且つ真空パネル４２の大きさを変更せずに、真空パネル４２における対向壁４４の変形を抑制する手法として、対向壁４４の内側面（密閉空間４０Ａ側の面）に、金属製の補強リブ６０を溶接等によって接合することで、対向壁４４の曲げ剛性を高くして、対向壁４４の変形を抑制することが考えられる。また、図４（Ｂ）に示されるように、対向壁４４に密閉空間４０Ａ側へ突出された補強ビード４４Ａを形成することで、対向壁４４の曲げ剛性を高くして、対向壁４４の変形を抑制することが考えられる。
【００３５】
これらの場合、補強リブ６０や補強ビード４４Ａが、対向壁４４から密閉空間４０Ａ側へ突出される。すなわち、補強リブ６０や補強ビード４４Ａが、一方（他方）の対向壁４４から他方（一方）の対向壁４４へ向けて突出される。このようなリブやビードの構造を設けることによっても、断熱効果を発揮しながら真空パネル４２の強度を高くすることができる。
【００３６】
これに対して、本実施の形態では、上述のように、断熱構造体４０のリブ構造物５０がパルプ材によって構成されている。このため、リブ構造物５０の重量を、比較的軽くして、リブ構造物５０を密閉空間４０Ａ内に収容することができる。このため、断熱構造体４０の重量ＵＰ及び大型化を抑制しつつ、一対の対向壁４４間における熱の伝達を抑制することができる。したがって、断熱構造体４０の重量ＵＰ及び大型化を抑制しつつ、断熱構造体４０の断熱効果を確保して、真空パネル４２の変形を抑制することができる。
【００３７】
また、リブ構造物５０のハニカムリブ５０Ａは、真空パネル４２の厚み方向から見て、閉断面構造を成している。これにより、対向壁４４の密閉空間４０Ａ側への変形をハニカムリブ５０Ａによって有効に抑制することができる。すなわち、上述のように、真空パネル４２の密閉空間４０Ａ内を減圧又は真空状態にするときには、ハニカムリブ５０Ａの高さ方向の両端が、真空パネル４２の一対の対向壁４４によって押圧される。このため、ハニカムリブ５０Ａには、高さ方向の圧縮荷重が作用して、ハニカムリブ５０Ａが座屈変形しようとする。
【００３８】
ここで、上述のように、ハニカムリブ５０Ａは、真空パネル４２の厚み方向から見て、閉断面構造を成している。このため、仮に、リブ構造物５０のリブを開断面構造にする場合と比べて、ハニカムリブ５０Ａの耐座屈変形荷重を高くすることができる。これにより、対向壁４４の密閉空間４０Ａ側への変位をハニカムリブ５０Ａによって有効に抑制することができる。
【００３９】
さらに、リブ構造物５０のハニカムリブ５０Ａは、断面六角形状を成すハニカム構造を成している。このため、リブ構造物５０において、隣接するハニカムリブ５０Ａ同士を隙間なく配置することができる。これにより、真空パネル４２の対向壁４４からハニカムリブ５０Ａに入力された力を、ハニカムリブ５０Ａの各壁部に分散させつつ、当該力を隣接するハニカムリブ５０Ａに伝達させることができる。その結果、リブ構造物５０の高さ方向における、リブ構造物５０の破壊強度を高くすることができる。したがって、ハニカムリブ５０Ａ（リブ構造物５０）による対向壁４４に対する支持性能を向上することができる。
【００４０】
また、リブ構造物５０のハニカムリブ５０Ａは、真空パネル４２の厚み方向から見て、真空パネル４２（対向壁４４）の全体に亘って均一に配置されている。これにより、対向壁４４の密閉空間４０Ａ側への変位を効果的に抑制することができる。
【００４１】
なお、本実施の形態では、リブ構造物５０に用いる板紙５２の種類や厚み等は特に規定していないが、板紙５２の種類や厚み等は、密閉空間４０Ａ内の減圧度合いや対向壁４４の曲げ剛性の度合いに応じて、適宜設定すればよい。すなわち、密閉空間４０Ａ内を減圧状態又は真空状態にしたときに、対向壁４４からハニカムリブ５０Ａに入力される力によって、ハニカムリブ５０Ａが座屈変形しないように、板紙５２の種類や厚み等を適宜設定すればよい。
【００４２】
また、本実施の形態の断熱構造体４０におけるリブ構造物５０は、断面六角形状の閉断面構造を成す複数のハニカムリブ５０Ａを有しているが、リブ構造物５０に用いるリブの断面形状はこれに限らない。
【００４３】
例えば、図５（Ａ）に示されるように、断面円形の閉断面構造を成す複数のリブ５０Ｂによってリブ構造物５０を構成してもよい。この場合には、例えば、板紙５２を断面円形状に湾曲させてリブ５０Ｂを予め形成し、予め形成した複数のリブ５０Ｂ同士を連結してリブ構造物５０を形成してもよい。
【００４４】
また、例えば、図５（Ｂ）に示されるように、断面矩形の閉断面構造を成す複数のリブ５０Ｃによってリブ構造物５０を構成してもよい。この場合には、例えば、断熱構造体４０の厚み方向から見て、板紙５２を格子状に交差させて配置して、板紙５２の交差する部位にスリットを形成して、交差する板紙５２同士を組み付けて、リブ構造物５０を形成してもよい。なお、図５（Ｂ）に示される例では、リブ５０Ｃが略正方形状に形成されているが、リブ５０Ｃを略長方形状に形成してもよい。
【００４５】
さらに、例えば、図５（Ｃ）に示されるように、断面三角形の閉断面構造を成す複数のリブ５０Ｄによってリブ構造物５０を構成してもよい。この場合には、板紙５２をジグザグ状に屈曲させて、板紙５２の屈曲部を、隣接する板紙５２に連結することでリブ構造物５０を形成してもよい。なお、図５（Ｃ）に示される例では、リブ５０Ｄが略二等辺三角形状に形成されているが、リブ５０Ｄを略正三角形状に形成してもよい。
【００４６】
また、本実施の形態では、リブ構造物５０において、屈曲形成した複数の板紙５２を連結することで、ハニカムリブ５０Ａを形成しているが、ハニカムリブ５０Ａを形成する方法はこれに限らない。例えば、図５（Ａ）に示されるリブ５０Ｂと同様に、板紙５２を断面六角形状に屈曲させてハニカムリブ５０Ａを予め形成し、予め形成したハニカムリブ５０Ａ同士を連結してリブ構造物５０を形成してもよい。
【００４７】
また、リブ構造物５０におけるリブの耐座屈荷重を高くするという観点からすると、リブ構造物５０のリブを閉断面構造にすることが望ましいが、リブ構造物５０におけるリブを開断面構造にして、対向壁４４の密閉空間４０Ａ側への変位を抑制してもよい。
【００４８】
また、真空パネル４２の対向壁４４の変位を抑制するという観点からすると、ハニカムリブ５０Ａの高さ寸法Ｈを、密閉空間４０Ａの厚み寸法Ｔと略一致させることが望ましいが、ハニカムリブ５０Ａの高さ寸法Ｈを、密閉空間４０Ａの厚み寸法Ｔに比べて僅かに小さく設定してもよい。これにより、ハニカムリブ５０Ａと対向壁４４との間に僅かな隙間が形成される。このため、密閉空間４０Ａ内を真空引きするときに、当該隙間を活用して、ハニカムリブ５０Ａで仕切られた密閉空間４０Ａ内の空気を良好に排出することができる。
また、ハニカムリブ５０Ａの耐座屈荷重を確保するように、隣接するハニカムリブ５０Ａ内を連通する連通孔を、ハニカムリブ５０Ａに形成してもよい。この場合にも、密閉空間４０Ａ内を真空引きするときに、当該連通孔を活用して、ハニカムリブ５０Ａで仕切られた密閉空間４０Ａ内の空気を良好に排出することができる。
【００４９】
また、本実施の形態では、リブ構造物５０のハニカムリブ５０Ａが、真空パネル４２の厚み方向から見て、真空パネル４２（対向壁４４）の全体に亘って均一に配置されているが、ハニカムリブ５０Ａを対向壁４４の一部の領域に対応して配置させるように、リブ構造物５０を形成してもよい。すなわち、真空パネル４２では、対向壁４４の外周部が、第１側壁４６及び第２側壁４８によって接続されている。このため、対向壁４４が密閉空間４０Ａ側へ変位するときには、対向壁４４の中央部が一番大きく変位する傾向となる。よって、対向壁４４の変位の大きい部位（中央部）に対応してハニカムリブ５０Ａを配置させるように、リブ構造物５０を形成してもよい。
【００５０】
また、本実施の形態では、屈曲形成された複数の板紙５２を連結することで、リブ構造物５０が形成されているが、リブ構造物５０の構造はこれに限らない。例えば、リブ構造物５０を、パルプ材をモールドした所謂パルプモールドによって成形して、ハニカムリブ５０Ａを形成してもよい。
【符号の説明】
【００５１】
１０          冷蔵庫
１２          冷蔵庫本体
１４          冷蔵室（収容室）
１６          野菜室（収容室）
１８          製氷室（収容室）
２０          冷凍室（収容室）
４０          断熱構造体
４２          真空パネル
４４          対向壁
５０          リブ構造物（変位抑制構造物）
５０Ａ        ハニカムリブ（リブ）
５０Ｂ        リブ
５０Ｃ        リブ
５０Ｄ        リブ
【図１】
2019086269.tif 000003
【図２】
2019086269.tif 000004
【図３】
2019086269.tif 000005
【図４】
2019086269.tif 000006
【図５】
2019086269.tif 000007